(57)【要約】【課題】乗換案内サーバと通信できない場合でも乗換案内を行うとともに、乗換時刻を通知する際の利便性を向上する。【解決手段】携帯電話機１は、出発点と出発時刻と到着点との入力を利用者から受付け、受付けた出発点と出発時刻と到着点とを乗換案内サーバ２へ送信する。携帯電話機１は、乗換案内サーバ２から送信されてきた到着時刻情報が示す到着点に到着する時刻である到着時刻の所定時間前に、現在時刻が到達したことを検出する。携帯電話機１は、現在時刻が到着時刻の所定時間前に到達したことを検出した場合、乗換案内サーバ２から到着時刻情報とともに送信されてきた通知用情報を再生する。【選択図】図１
2009196495.tif 000002
【特許請求の範囲】
【請求項１】
移動体が移動する経路上の出発点と、到着点と、出発時刻とに基づいて、到着時刻と該到着時刻の通知に用いる通知用情報とを取得して、前記到着時刻を示す到着時刻情報と前記通知用情報とを送信する乗換案内サーバと接続された乗換案内装置において、
前記出発点と、前記出発時刻と、前記到着点との入力を利用者から受付け、該受付けた出発点と、出発時刻と、到着点とを出力する入力部と、
前記入力部から出力された出発点と、出発時刻と、到着点とを前記乗換案内サーバへ送信する送信部と、
前記乗換案内サーバから送信されてきた前記到着時刻情報が示す前記到着点に到着する時刻である到着時刻の所定時間前に、現在時刻が到達したことを検出する計時部と、
前記計時部にて現在時刻が前記到着時刻の所定時間前に到達したことを検出した場合、前記乗換案内サーバから送信されてきた前記通知用情報を再生する通知部とを有することを特徴とする乗換案内装置。
【請求項２】
前記乗換案内サーバから送信されてきた前記到着時刻情報と、前記通知用情報とを記憶する記憶部、を有し、
前記計時部は、
前記出発時刻からの経過時間を計時し、
前記現在時刻が前記到着時刻の所定時間前に到達したことを、前記計時中の経過時間と前記記憶部内の到着時刻情報が示す到着時刻とに基づいて検出することを特徴とする請求項１に記載の乗換案内装置。
【請求項３】
音声を出力する音声出力部、を有し、
前記通知部は、
前記通知用情報を再生する際に、前記音声出力部を制御し、
前記通知用情報に含まれる通知用の音声を再生することを特徴とする請求項１または２に記載の乗換案内装置。
【請求項４】
任意のデータを表示する表示部、を有し、
前記通知部は、
前記通知用情報を再生する際に、前記表示部を制御し、
前記通知用情報に含まれる通知用の画面を再生することを特徴とする請求項１乃至３のいずれか1項に記載の乗換案内装置。
【請求項５】
前記通知部は、
前記通知用情報を再生する際に、
前記通知用情報に含まれる前記到着点に関連する情報である到着点関連情報を再生することを特徴とする請求項１乃至４のいずれか１項に記載の乗換案内装置。
【請求項６】
前記乗換案内サーバから送信されてきた到着時刻情報が示す到着時刻のうちから利用者が選択した到着時刻を識別する選択判別部、を有し、
前記通知部は、
前記選択判別部が識別した到着時刻に対応する前記通知用情報を再生することを特徴とする請求項１乃至５のいずれか１項に記載の乗換案内装置。
【請求項７】
前記計時部が計時する前記出発時刻からの経過時間が、前記到着時刻情報が示す到着時刻から前記出発時刻を減じた値に到達したか否かを判別する到着判別部と、
前記到着判別部が到達したと判別したときに、前記計時部による計時を解除する計時解除部と、を有することを特徴とする請求項２に記載の乗換案内装置。
【請求項８】
移動体が所定の経路を移動する際の出発点と、到着点と、出発時刻と、到着時刻と、前記出発点と前記到着点と前記出発時刻とを送信する乗換案内装置にて再生可能な通知用情報と、を対応付ける経路検索用情報を記憶する記憶部と、
前記乗換案内装置から送信されてきた、利用者が所望する前記移動体の出発点と、該出発点を該移動体が出発する出発時刻と、前記移動体の到着点とに基づいて、前記記憶部から、該出発点と該到着点と該出発時刻とに対応する前記到着時刻と前記通知用情報とを検索する経路検索部と、
前記経路検索部にて検索された到着時刻を示す到着時刻情報と、該検索された到着時刻に対応する前記通知用情報とを、前記乗換案内装置に送信する乗換経路送信部とを有することを特徴とする乗換案内サーバ。
【請求項９】
請求項１に記載の乗換案内装置と、
請求項８に記載の乗換案内サーバと、
から構成される乗換案内システム。
【請求項１０】
移動体が移動する経路上の出発点と、到着点と、出発時刻とに基づいて、到着時刻と該到着時刻の通知に用いる通知用情報とを取得して、前記到着時刻を示す到着時刻情報と前記通知用情報とを送信する乗換案内サーバと接続された乗換案内装置における乗換案内方法であって、
前記出発点と、前記出発時刻と、前記到着点との入力を利用者から受付け、該受付けた出発点と、出発時刻と、到着点とを出力する入力処理と、
前記入力処理にて出力された出発点と、出発時刻と、到着点とを前記乗換案内サーバへ送信する送信処理と、
前記乗換案内サーバから送信されてきた前記到着時刻情報が示す前記到着点に到着する時刻である到着時刻の所定時間前に、現在時刻が到達したことを検出する計時処理と、
前記計時処理にて現在時刻が前記到着時刻の所定時間前に到達したことを検出した場合、前記乗換案内サーバから送信されてきた前記通知用情報を再生する通知処理とを有する乗換案内方法。
【請求項１１】
前記乗換案内サーバから送信されてきた前記到着時刻情報と、前記通知用情報とを記憶する記憶処理、を有し、
前記計時処理では、
前記出発時刻からの経過時間を計時し、
前記現在時刻が前記到着時刻の所定時間前に到達したことを、前記計時中の経過時間と前記記憶処理にて記憶している到着時刻情報が示す到着時刻とに基づいて検出することを特徴とする請求項１０に記載の乗換案内方法。
【請求項１２】
音声を出力する音声出力処理、を有し、
前記通知処理では、
前記通知用情報を再生する際に、前記音声出力処理を実行し、
前記通知用情報に含まれる通知用の音声を再生することを特徴とする請求項１０または１１に記載の乗換案内方法。
【請求項１３】
任意のデータを表示する表示処理、を有し、
前記通知処理では、
前記通知用情報を再生する際に、前記表示処理を実行し、
前記通知用情報に含まれる通知用の画面を再生することを特徴とする請求項１０乃至１２のいずれか1項に記載の乗換案内方法。
【請求項１４】
前記通知処理では、
前記通知用情報を再生する際に、
前記通知用情報に含まれる前記到着点に関連する情報である到着点関連情報を再生することを特徴とする請求項１０乃至１３のいずれか１項に記載の乗換案内方法。
【請求項１５】
前記乗換案内サーバから送信されてきた到着時刻情報が示す到着時刻のうちから利用者が選択した到着時刻を識別する選択判別処理、を有し、
前記通知処理では、
前記選択判別処理にて識別した到着時刻に対応する前記通知用情報を再生することを特徴とする請求項１０乃至１４のいずれか１項に記載の乗換案内方法。
【請求項１６】
前記計時処理にて計時する前記出発時刻からの経過時間が、前記到着時刻情報が示す到着時刻から前記出発時刻を減じた値に到達したか否かを判別する到着判別処理と、
前記到着判別処理にて到達したと判別したときに、前記計時処理による計時を解除する計時解除処理と、を有することを特徴とする請求項１１に記載の乗換案内方法。
【請求項１７】
移動体が移動する経路上の出発点と、出発時刻と、到着点との入力を利用者から受付け、該受付けた出発点と、出発時刻と、到着点とを出力する入力手順と、
前記入力手順にて出力された出発点と、出発時刻と、到着点とを、該出発点と、該到着点と、該出発時刻とに基づいて、到着時刻と該到着時刻の通知に用いる通知用情報とを取得して、前記到着時刻を示す到着時刻情報と前記通知用情報とを送信する乗換案内サーバへ送信する送信手順と、
前記乗換案内サーバから送信されてきた前記到着時刻情報が示す前記到着点に到着する時刻である到着時刻の所定時間前に、現在時刻が到達したことを検出する計時手順と、
前記計時手順にて現在時刻が前記到着時刻の所定時間前に到達したことを検出した場合、前記乗換案内サーバから送信されてきた前記通知用情報を再生する通知手順とをコンピュータに実行させるプログラム。
【請求項１８】
前記乗換案内サーバから送信されてきた前記到着時刻情報と、前記通知用情報とを記憶する記憶手順、を有し、
前記計時手順では、
前記出発時刻からの経過時間を計時し、
前記現在時刻が前記到着時刻の所定時間前に到達したことを、前記計時中の経過時間と前記記憶手順にて記憶している到着時刻情報が示す到着時刻とに基づいて検出することを特徴とする請求項１７に記載のプログラム。
【請求項１９】
音声を出力する音声出力手順、を有し、
前記通知手順では、
前記通知用情報を再生する際に、前記音声出力手順を実行し、
前記通知用情報に含まれる通知用の音声を再生することを特徴とする請求項１７または１８に記載のプログラム。
【請求項２０】
任意のデータを表示する表示手順、を有し、
前記通知手順では、
前記通知用情報を再生する際に、前記表示手順を実行し、
前記通知用情報に含まれる通知用の画面を再生することを特徴とする請求項１７乃至１９のいずれか1項に記載のプログラム。
【請求項２１】
前記通知手順では、
前記通知用情報を再生する際に、
前記通知用情報に含まれる前記到着点に関連する情報である到着点関連情報を再生することを特徴とする請求項１７乃至２０のいずれか１項に記載のプログラム。
【請求項２２】
前記乗換案内サーバから送信されてきた到着時刻情報が示す到着時刻のうちから利用者が選択した到着時刻を識別する選択判別手順、を有し、
前記通知手順では、
前記選択判別手順にて識別した到着時刻に対応する前記通知用情報を再生することを特徴とする請求項１７乃至２１のいずれか１項に記載のプログラム。
【請求項２３】
前記計時手順にて計時する前記出発時刻からの経過時間が、前記到着時刻情報が示す到着時刻から前記出発時刻を減じた値に到達したか否かを判別する到着判別手順と、
前記到着判別手順にて到達したと判別したときに、前記計時手順による計時を解除する計時解除手順と、を有することを特徴とする請求項１８に記載のプログラム。
【発明の詳細な説明】
【技術分野】
【０００１】
本発明は、乗換を案内する乗換案内装置、乗換案内サーバ、乗換案内システム、乗換案内方法およびプログラムに関する。
【背景技術】
【０００２】
乗車駅、経由駅および下車駅、ならびに、出発時刻および到着時刻などに基づいて、最低料金、最短時間または最小乗換数などの重み付を実行し、最適な乗換経路を検索するための乗換案内サービスを提供する様々な技術が提案されている。このような乗換案内サービスは、携帯電話機向けにも提供されている。
【０００３】
例えば、改札口の通過時に読取装置により携帯電話機の識別情報を読み取り、識別情報により識別した携帯電話機が列車内に位置する場合に、到着駅に近づいたことを、列車内の送受信装置から携帯電話機に通知する乗過ごし防止システムが考えられている（例えば、特許文献１参照。）。
【０００４】
また、例えば、携帯電話機にて利用列車および下車駅を指定した場合に、下車駅への到着時刻よりも所定時間前に達した時に、その旨を、振動、音声出力またはメールなどの通知方法によりサービス会社から携帯電話機に通知する携帯列車到着通知サービスが考えられている（例えば、特許文献２参照。）。
【０００５】
また、例えば、出発駅から到着駅に至る経路情報をあらかじめ取得および保持した携帯電話機に対して、駅構内の所定位置（例えば、階段やホームなど）に設置された送信機から、携帯電話機が保持する経路情報に従って運行する電車の発車位置まで誘導するための情報を送信する駅構内案内システムが考えられている（例えば、特許文献３参照。）。
【０００６】
また、到着時刻に接近したことを示す通知を外部から受信することなく、外部からの乗換経路情報の取得後に、携帯電話機側で乗換案内を行う様々な技術が提案されている。
【０００７】
例えば、乗換経路に関する情報を外部との通信により携帯電話機が取得し、取得した乗換経路に従って乗換案内を行う際に、取得した乗換経路のうちから利用者が外部との通信を行わない区間を設定し、設定された区間にて外部と通信することなく携帯電話機により乗換案内ができる路線案内情報取得プログラムが考えられている（例えば、特許文献４参照。）。
【０００８】
また、利用者による操作を伴わない場合でも、外部と通信できない状態において、携帯電話機にて乗換案内を行う技術が提案されている。
【０００９】
例えば、携帯電話機において、携帯電話機の利用者が搭乗する移動体の乗換経路情報と、到着時刻に近づいたことを通知する時刻を設定するためのタイマ設定情報とを位置情報サービスセンタから取得し、取得したタイマ設定情報に従ってタイマ設定することにより、圏外においても乗換案内を行う交通機関案内システムが考えられている（例えば、特許文献５参照。）。
【特許文献１】特開２００７−１５０５５１号公報
【特許文献２】特開２００３−１６９１４１号公報
【特許文献３】特開２００４−３５９１５４号公報
【特許文献４】特開２００５−０４４１４８号公報
【特許文献５】特開２００２−２６０１５９号公報
【発明の開示】
【発明が解決しようとする課題】
【００１０】
特許文献１〜３に開示された一般的な乗換案内サービスを提供する技術では、利用者に対して乗換経路を案内する際に、到着点に近づいた時点で、乗換案内用の通知内容を乗換案内サーバから受信し、受信した通知内容を、携帯電話機にて表示する。そのため、携帯電話機が乗換案内サーバと通信不能な領域に位置する通信圏外の状況下では（例えば、携帯電話機が地下に位置する場合や高速移動中の場合など）、乗換案内を実行できないおそれがあるという問題点がある。
【００１１】
また、特許文献４に開示された一般的な乗換案内サービスを提供する技術では、外部と通信しない区間を利用者が設定していない状態において、乗換案内中に携帯電話機が外部と通信できない場合には、乗換案内を行うことができないという問題点がある。さらに、特許文献４に開示された技術では、利用者により設定された外部と通信しない区間における乗換案内の終了後、外部との通信により乗換案内を行う区間にて通信が不能である場合、乗換案内を継続できないという問題点がある。
【００１２】
特許文献５に開示された一般的な乗換案内サービスを提供する技術では、携帯電話機が乗換案内サーバからタイマ設定情報を受信した場合、乗換案内サーバと通信不能な場所に位置する場合でも、乗換案内を実行できる。しかし、特許文献５に開示された技術では、送信エラーなどにより、乗換経路情報を受信する一方、タイマ設定情報を乗換案内サーバから受信できなかった場合には、携帯電話機による乗換案内を実行できないという問題点がある。
【００１３】
さらに、携帯電話機は、一般的に小型化および軽量化が要求されるため、搭載可能なメモリが限られてしまう。そのため、特許文献４、5に開示された技術では、携帯電話機が有するタイマ機能により圏外において乗換案内を通知する際の音声や画像のデータサイズも制約を受け、通知時における利用者にとっての利便性を向上できないおそれがあるという問題点がある。
【００１４】
本発明は、上述した課題を解決する乗換案内装置、乗換案内サーバ、乗換案内システム、乗換案内方法およびプログラムを提供することを目的とする。
【課題を解決するための手段】
【００１５】
上記課題を解決するために、本発明の乗換案内装置は、移動体が移動する経路上の出発点と、到着点と、出発時刻とに基づいて、到着時刻と該到着時刻の通知に用いる通知用情報とを取得して、前記到着時刻を示す到着時刻情報と前記通知用情報とを送信する乗換案内サーバと接続された乗換案内装置において、前記出発点と、前記出発時刻と、前記到着点との入力を利用者から受付け、該受付けた出発点と、出発時刻と、到着点とを出力する入力部と、前記入力部から出力された出発点と、出発時刻と、到着点とを前記乗換案内サーバへ送信する送信部と、前記乗換案内サーバから送信されてきた前記到着時刻情報が示す前記到着点に到着する時刻である到着時刻の所定時間前に、現在時刻が到達したことを検出する計時部と、前記計時部にて現在時刻が前記到着時刻の所定時間前に到達したことを検出した場合、前記乗換案内サーバから送信されてきた前記通知用情報を再生する通知部とを有することを特徴とする。
【００１６】
上記課題を解決するために、本発明の乗換案内サーバは、移動体が所定の経路を移動する際の出発点と、到着点と、出発時刻と、到着時刻と、前記出発点と前記到着点と前記出発時刻とを送信する乗換案内装置にて再生可能な通知用情報と、を対応付ける経路検索用情報を記憶する記憶部と、前記乗換案内装置から送信されてきた、利用者が所望する前記移動体の出発点と、該出発点を該移動体が出発する出発時刻と、前記移動体の到着点とに基づいて、前記記憶部から、該出発点と該到着点と該出発時刻とに対応する前記到着時刻と前記通知用情報とを検索する経路検索部と、前記経路検索部にて検索された到着時刻を示す到着時刻情報と、該検索された到着時刻に対応する前記通知用情報とを、前記乗換案内装置に送信する乗換経路送信部とを有することを特徴とする。
【００１７】
上記課題を解決するために、本発明の乗換案内システムは、請求項１に記載の乗換案内装置と、請求項８に記載の乗換案内サーバと、から構成される。
【００１８】
上記課題を解決するために、本発明の乗換案内方法は、移動体が移動する経路上の出発点と、到着点と、出発時刻とに基づいて、到着時刻と該到着時刻の通知に用いる通知用情報とを取得して、前記到着時刻を示す到着時刻情報と前記通知用情報とを送信する乗換案内サーバと接続された乗換案内装置における乗換案内方法であって、前記出発点と、前記出発時刻と、前記到着点との入力を利用者から受付け、該受付けた出発点と、出発時刻と、到着点とを出力する入力処理と、前記入力処理にて出力された出発点と、出発時刻と、到着点とを前記乗換案内サーバへ送信する送信処理と、前記乗換案内サーバから送信されてきた前記到着時刻情報が示す前記到着点に到着する時刻である到着時刻の所定時間前に、現在時刻が到達したことを検出する計時処理と、前記計時処理にて現在時刻が前記到着時刻の所定時間前に到達したことを検出した場合、前記乗換案内サーバから送信されてきた前記通知用情報を再生する通知処理とを有する。
【００１９】
また、コンピュータに実行させるプログラムであって、移動体が移動する経路上の出発点と、出発時刻と、到着点との入力を利用者から受付け、該受付けた出発点と、出発時刻と、到着点とを出力する入力手順と、前記入力手順にて出力された出発点と、出発時刻と、到着点とを、該出発点と、該到着点と、該出発時刻とに基づいて、到着時刻と該到着時刻の通知に用いる通知用情報とを取得して、前記到着時刻を示す到着時刻情報と前記通知用情報とを送信する乗換案内サーバへ送信する送信手順と、前記乗換案内サーバから送信されてきた前記到着時刻情報が示す前記到着点に到着する時刻である到着時刻の所定時間前に、現在時刻が到達したことを検出する計時手順と、前記計時手順にて現在時刻が前記到着時刻の所定時間前に到達したことを検出した場合、前記乗換案内サーバから送信されてきた前記通知用情報を再生する通知手順とをコンピュータに実行させる。
【発明の効果】
【００２０】
本発明によれば、移動体が移動する経路上の出発点と、到着点と、出発時刻とに基づいて、到着時刻と到着時刻の通知に用いる通知用情報とを取得して、到着時刻を示す到着時刻情報と通知用情報とを送信する乗換案内サーバと接続された乗換案内装置において、出発点と、出発時刻と、到着点との入力を利用者から受付け、受付けた出発点と、出発時刻と、到着点とを出力し、出力された出発点と、出発時刻と、到着点とを乗換案内サーバへ送信し、乗換案内サーバから送信されてきた到着時刻情報が示す到着点に到着する時刻である到着時刻の所定時間前に、現在時刻が到達したことを検出し、現在時刻が到着時刻の所定時間前に到達したことを検出した場合、乗換案内サーバから送信されてきた通知用情報を再生する構成としたため、乗換案内サーバと通信できない場合でも乗換案内が可能になるとともに、乗換時刻を通知する際の利便性を向上できる。
【発明を実施するための最良の形態】
【００２１】
（実施形態１）
以下、本発明の実施形態１に従った乗換案内システム（乗換案内装置、乗換案内サーバ、乗換案内方法およびプログラムを含む）を説明する。以下の説明例は、本実施形態に従った乗換案内装置を、携帯電話機１に適用した例である。
【００２２】
図１に示すように、乗換案内システムは、携帯電話機１と、乗換案内サーバ２と、ネットワーク３とから構成される。
【００２３】
携帯電話機１は、乗換案内サービスを携帯電話機１の利用者に提供するための「乗換案内装置」であって、携帯型の電子装置である。なお、本実施形態の乗換案内装置は、携帯電話機に限らず、乗換案内機能を有する携帯型の電子装置であれば、任意の携帯型電子装置（例えば、ＰＤＡ（Personal Digital Assistants）、デジタルカメラなど）でよい。
【００２４】
携帯電話機１は、乗換案内サービスを利用者に提供するための各種情報を、ネットワーク３を介して乗換案内サーバ２から受信し、受信した各種情報を用いて、乗換案内を実行する。この乗換案内において、携帯電話機１は、例えば、現在時刻が、到着時刻の所定時間前に到達したことをその利用者に通知する。
【００２５】
また、携帯電話機１は、移動体が移動する経路のうちで利用者が利用を所望する経路である「乗換経路」および到着時刻の検索を乗換案内サーバ２に要求する。検索の要求時、携帯電話機１は、乗換経路および到着時刻を特定するための条件である「乗換条件」を乗換案内サーバ２に通知する。
【００２６】
この「乗換条件」とは、例えば、移動体が移動する経路上に位置する利用者が所望する「出発点」、利用者が所望する「出発時刻」および経路上に位置する利用者が所望する「到着点」などである。
【００２７】
また、ここでいう「移動体」とは、例えば、あらかじめ定められたダイヤグラムに従って運行する交通機関（電車、バス、船舶および航空機など）である。
【００２８】
さらに、携帯電話機１は、検索要求に応じて、乗換案内サーバ２が「乗換条件」に従って検索した乗換経路および到着時刻を、乗換案内サーバ２から受信する。
【００２９】
乗換案内サーバ２は、例えば、所定の情報処理装置（例えば、サーバ）で構成され、ネットワーク３を介して、携帯電話機１がその利用者に乗換案内サービスを提供するための様々な情報を取得（検索）して、送信する。乗換案内サーバ２は、自己と異なる他の乗換案内サーバが有する情報のうちから乗換案内サービスを提供するための情報を検索し、検索して得た情報を送信するものでもよい。
【００３０】
また、実施形態１においては、乗換案内サーバ２は、携帯電話機１が乗換案内を行う際の乗換経路を検索するための情報を記憶している。
【００３１】
より具体的には、乗換案内サーバ２は、経路情報（出発点、到着点、出発時刻）と、乗換案内時の到着時刻を検索するための到着時刻検索情報と、現在時刻が到着時刻の所定時間前に到達したことを携帯電話機１が利用者に通知する際に用いる情報（乗換案内装置にて再生可能な情報）である通知用情報と、を対応付けて記憶している。
【００３２】
また、乗換案内サーバ２は、携帯電話機１からの要求に応答して「経路検索処理」を実行する。このとき、乗換案内サーバ２は、携帯電話機１から送信されてきた「乗換条件」に基づいて、自ら記憶する経路情報および到着時刻検索情報のうちから乗換条件に適した乗換経路および到着時刻を検索する。
【００３３】
さらに、乗換案内サーバ２は、検索により得られた乗換経路を示す情報である「乗換経路情報」と、検索により得られた到着時刻を示す「到着時刻情報」とを、携帯電話機１に送信する。
【００３４】
ここで、「乗換経路情報」とは、移動体が移動する乗換経路上の「出発点」と、出発点を移動体が出発する「出発時刻」と、乗換経路上の「到着点」とを対応付ける情報である。
【００３５】
また、「到着時刻情報」とは、到着点に移動体が到着する「到着時刻」を示す情報である。
【００３６】
本実施形態では、移動体が電車であり、出発点および到着点がそれぞれ出発駅および到着駅である場合を例に挙げて説明する。
【００３７】
なお、最先の出発駅（乗換経路にて電車が最初に出発する駅）から最終の到着駅に至るまでの乗換経路を検索した場合、検索した乗換経路が複数の移動経路から構成される場合がある。このとき、乗換案内サーバ２は、各移動経路における出発駅と出発時刻と到着駅とを対応付ける複数の乗換経路情報と、各移動経路における到着時刻を示す複数の到着時刻情報とを、携帯電話機１に送信する。
【００３８】
また、乗換案内サーバ２は、「乗換経路送信処理」において、出発駅、到着駅、出発時刻および到着時刻に対応付けられた情報であって、かつ、携帯電話機１が乗換案内中において利用者への通知時に再生する情報である「通知用情報」を、携帯電話機１に送信する。
【００３９】
ここでいう「通知用情報」とは、「アラーム情報」（例えば、メロディなど）、または、「画面メッセージ情報」（例えば、「まもなく、○○駅です」といった乗換を利用者に促すメッセージ、メッセージの表示用画面など）などである。
【００４０】
なお、「通知用情報」は、乗換経路が複数の移動経路で構成される場合、各移動経路にそれぞれ対応付けられた複数の通知用情報で構成される。
【００４１】
例えば、出発駅が東京駅で、到着駅が大阪駅で、経由駅が名古屋駅である場合、通知用情報は、東京〜名古屋間の移動経路に対応する通知用情報と、名古屋〜大阪間の移動経路に対応する通知用情報とを含んでいる。
【００４２】
ネットワーク３は、無線通信方式に従って、携帯電話機１と乗換案内サーバ２とを接続する通信網である。
【００４３】
つぎに、携帯電話機１の構成について、詳細に説明する。
【００４４】
図２に示すように、本実施形態の携帯電話機１は、制御部１１と、入力部１２と、通信部１３と、記憶部１４と、表示部１５と、音声出力部１６と、音声入力部１７と、バス１８とを有する。
【００４５】
制御部１１は、携帯電話機１全体を制御する。例えば、制御部１１は、携帯電話機１の利用者に乗換案内サービスを提供するための各種処理を行う。
【００４６】
また、図３に示すように、制御部１１は、計時部１１１と、経路検索要求部１１２と、選択判別部１１３と、経路情報取得部１１４と、通知部１１５と、到着判別部１１６とを有する。
【００４７】
計時部１１１は、タイマで構成され、「計時処理」を実行し、ある時刻からの経過時間を計時し、その経過時間が所定値に達したことを検出する。例えば、計時部１１１は、記憶部１４にて記憶されている後述の乗換経路情報１４１が示す電車（移動体）の出発時刻からの経過時間を計時し、その経過時間が「到着時刻接近検出値Ｄａ」に達したことを検出する。
【００４８】
ここでいう「到着時刻接近検出値Ｄａ」とは、「現在時刻が、到着時刻の所定時間前に到達したこと」を計時部１１１が検出するための所定値であり、記憶部１４にて記憶されている。
【００４９】
より具体的には、「到着時刻接近検出値Ｄａ」は、出発時刻からの経過時間が、電車が出発点から到着点に到着するまでに要する所要時間から所定値（例えば、5分）を減算した差に到達したことを計時部１１１が検出するための所定値である。
【００５０】
「到着時刻接近検出値Ｄａ」は、出発時刻と到着時刻との時間差以下であればいずれの値であってもよいが、本実施形態では、現在時刻が電車の到着時刻の5分前に到達したことを計時部１１１が検出するように、到着時刻接近検出値Ｄａが設定されているものとする。より詳細には、到着時刻接近検出値Ｄａは、出発駅から到着駅への所要時間（乗換案内サーバ２が検索した到着時刻から乗換案内サーバ２が検索した出発時刻を減算した時間差）から所定値（例えば、5分）を減じた値に設定される。
【００５１】
なお、計時部１１１は、制御部１１が有する時計機能（図示せず）が示す現在時刻が記憶部１４内の乗換経路情報１４１が示す出発時刻に到達した時に、出発時刻からの経過時間の計時処理を開始する。
【００５２】
また、計時部１１１は、「計時解除処理」を実行する「計時解除部」であり、計時処理の実行を解除（停止）する。
【００５３】
経路検索要求部１１２は、「経路検索要求処理」を実行し、乗換案内サーバ２に対して、乗換経路検索の実行を要求する。なお、「経路検索要求処理」において、経路検索要求部１１２は、入力部１２にて入力された乗換条件を、乗換案内サーバ２に通知するとともに、入力された乗換条件に基づいて乗換経路を検索するよう乗換案内サーバ２に要求する。
【００５４】
選択判別部１１３は、「選択判別処理」を実行し、経路検索要求部１１２の要求に応じて乗換案内サーバ２が検索して送信してきた乗換経路と到着時刻とのうちから、入力部１２の入力操作により利用者が選択した乗換経路と到着時刻とを識別する。また、選択判別部１１３は、利用者が乗換経路を選択したか否かを判別する機能を有する。
【００５５】
経路情報取得部１１４は、「経路情報取得処理」を実行し、選択判別部１１３が識別した入力部１２により選択された乗換経路および到着時刻に対して、乗換案内サーバ２から、利用者に乗換経路を案内するための各種情報を取得する。
【００５６】
例えば、経路情報取得部１１４は、通知用情報１４３である「アラーム情報」および「画面メッセージ情報」を、乗換案内サーバ２から取得する。
【００５７】
通知部１１５は、「通知処理」を実行し、計時部１１１にて現在時刻が到着時刻の所定時間前に到達したことを検出した場合、乗換案内サーバ２から到着時刻情報とともに送信されてきた通知用情報を再生する。これにより、通知部１１５は、利用者に、下車予定の到着駅にまもなく到着する旨や、下車時刻（乗換経路上に位置する到着駅への到着時刻）が近づいた旨などを通知する。
【００５８】
より具体的には、通知部１１５は、表示部１５を制御し、「画面メッセージ情報」が示す各種の画面を表示（再生）する。また、音声出力部１６を制御し、「アラーム情報」が示す各種のアラームなどを出力（再生）する。
【００５９】
到着判別部１１６は、「到着判別処理」を実行し、例えば、到着時刻に基づいて、利用者が下車するべき到着駅に到着する到着時刻になったか否かを判別する。
【００６０】
図２に示した入力部１２は、例えば、ダイアルキー、タッチパネルなどで構成され、「入力処理」を実行し、利用者の操作に応じた情報を受付け、制御部１１に出力する。例えば、入力部１２は、利用者が所望する乗換経路を特定するための条件である「乗換条件」の入力を受付け、受付けた乗換条件を制御部１１に出力する。
【００６１】
ここでいう「乗換条件」とは、例えば、利用者が所望する出発駅や出発時刻、利用者が所望する経由駅やその経由駅への到着時刻、利用者が所望する到着駅や到着時刻などである。また、乗換条件として、乗車料金、乗車時間（出発駅から到着駅までの移動に要する時間）または乗換の回数などに関する指定値も、入力部１２にて入力される。
【００６２】
通信部１３は、「通信処理」を実行し、外部との通信を実行する。
【００６３】
例えば、「送信部」である通信部１３は、「送信処理」を実行し、乗換案内サーバ２に、乗換経路の検索を要求するための「検索要求信号」と、利用者が所望する乗換経路を特定するための条件である「乗換条件」とを送信する。なお、通信部１３による通信形態については特に限定しない。
【００６４】
記憶部１４は、メモリで構成され、「記憶処理」の実行により各種のデータを記憶する。例えば、乗換経路情報１４１と、到着時刻情報１４２と、通知用情報１４３とを記憶する。
【００６５】
「乗換経路情報１４１」は、通信部１３にて乗換案内サーバ２から受信した乗換経路情報である。すなわち、「乗換経路情報１４１」は、乗換案内サーバ２の検索によって得られた出発駅（出発点）と、出発駅からの出発時刻と、到着駅（到着点）とを対応付ける情報である。
【００６６】
「到着時刻情報１４２」は、通信部１３にて乗換案内サーバ２から受信した到着時刻情報である。到着時刻情報１４２は、乗換案内サーバ２の検索によって得られた到着時刻を示す情報である。
【００６７】
「通知用情報１４３」は、通信部１３にて乗換案内サーバ２から受信した通知用情報である。
【００６８】
「通知用情報１４３」は、到着時間に近づいたことを通知部１１５が通知する際に用いられる（再生される）音声を示す「アラーム情報」（例えば、メロディなど）を含んでいる。
【００６９】
また、「通知用情報１４３」は、到着時間に近づいたことを通知部１１５が通知する際に用いられる（再生される）メッセージと、メッセージの表示用画面とを示す「画面メッセージ情報」（例えば、乗換を利用者に促すメッセージの表示用画面、到着時刻に接近したことを通知するための通知用画面など）を含んでいる。
【００７０】
また、上述したように、記憶部１４は、現在時刻が到着時刻情報１４２が示す到着時刻に近づいたことを計時部１１１が検出するための到着時刻接近検出値Ｄａ（この説明例では、到着時刻の5分前）を記憶する。
【００７１】
なお、利用者は、入力部１２を操作することにより、到着時刻接近検出値Ｄａを、出発時刻と到着時刻との間の任意の時刻に到着駅への接近が検出および通知されるよう、任意に設定可能である。例えば、携帯電話機１が到着時刻の１０分前に到着駅に近づいたことを通知するよう利用者が所望する場合、到着時刻接近検出値Ｄａを「到着時刻と出発時刻との差分から１０分を減じた値」に設定すればよい。
【００７２】
表示部１５は、例えば、ＬＣＤ（液晶）パネルなどで構成される。表示部１５は、「表示処理」を実行し、任意のデータを表示（再生）する。例えば、画面メッセージ情報（通知用情報１４３）が示す後述の「乗換経路表示画面１５１」を表示する。なお、入力部１２がタッチパネルである場合、表示部１５が入力部１２としての役割を果たす。
【００７３】
音声出力部１６は、例えば、スピーカで構成される。音声出力部１６は、「音声出力処理」を実行し、任意の音声をスピーカで放音する。例えば、通知部１１５の制御に従って、乗換に関する通知内容を利用者に通知するための音声（例えば、アラーム音やガイド用音声）を放音（再生）する。乗換に関する「各種の通知内容」とは、例えば、到着駅（下車駅）または到着時刻（下車時刻）が近づいた旨などである。
【００７４】
音声入力部１７は、例えば、マイクで構成され、マイクで集音した音声を、その音声レベルの強弱に応じた電気信号に変換し、出力する。なお、入力部１２が音声入力機能を有する場合、音声入力部１７が入力部１２としての役割を果たす。バス１８は、各構成要素１１〜１７を相互に接続する。
【００７５】
つぎに、乗換案内サーバ２の構成について説明する。
【００７６】
図４に示すように、乗換案内サーバ２は、制御部２１と、通信部２２と、記憶部２３と、バス２４とを有する。
【００７７】
制御部２１は、乗換案内サーバ２全体を制御する。また、制御部２１は、経路検索部２１１を有する。
【００７８】
経路検索部２１１は、通信部２２が携帯電話機１から受信した「検索要求信号」に応答して、記憶部２３に記憶されている経路検索用情報２３０のうちから、通信部２２が携帯電話機１から受信した「乗換条件」に適した乗換経路（出発駅、到着駅、出発時刻、）および到着時刻を検索する。
【００７９】
通信部２２は、「通信処理」を実行することにより、ネットワーク３を介して、携帯電話機１と通信する。例えば、通信部２２は、携帯電話機１から送信されてきた「検索要求信号」や「乗換条件」を受信する。
【００８０】
また、「乗換経路送信部」である通信部２２は、「通信処理」において「乗換経路送信処理」を実行し、経路検索部２１１にて検索された乗換経路を示す「乗換経路情報」と、経路検索部２１１にて検索された到着時刻を示す「到着時刻情報」とを、携帯電話機１に送信する。
【００８１】
さらに、通信部２２は、「乗換経路送信処理」にて、経路検索部２１１が検索した乗換経路（出発駅、到着駅、出発時刻、）および到着時刻に対応する記憶部２３内の通知用情報を、携帯電話機１に送信する。
【００８２】
記憶部２３は、各種の情報を記憶する。例えば、経路検索部２１１が乗換経路および到着時刻を検索するための「経路検索用情報２３０」を記憶する。
【００８３】
図５に示すように、「経路検索用情報２３０」は、経路情報２３１と、到着時刻検索情報２３２と、通知用情報２３３とを対応付ける情報である。経路検索用情報２３０は、例えば、経路情報２３１の登録内容（出発駅、到着駅、出発時刻）と、到着時刻検索情報２３２の登録内容（到着時刻）と、通知用情報２３３の登録内容とを対応付けて格納するデータベースである。
【００８４】
「経路情報２３１」は、経路検索部２１１が携帯電話機１からの要求に応じて、乗換条件に適した乗換経路（出発駅、到着駅、出発時刻）を検索するための情報である。経路情報２３１には、電車の便名（例えば、新幹線○○号）を対応付けて登録してもよい。
【００８５】
「到着時刻検索情報２３２」は、経路検索部２１１が乗換条件に適した到着時刻を検索するための情報である。
【００８６】
「通知用情報２３３」は、出発駅と、到着駅と、出発時刻と、到着時刻とに対応付けられており、携帯電話機１が利用者への通知時に再生する情報である。通知用情報２３３は、アラーム情報（例えば、クラシック）、または、画面メッセージ情報（各種の画像）を含んでいる。なお、通信部２２は、経路検索部２１１が検索した乗換経路（出発駅、到着駅、出発時刻）および到着時刻に対応する通知用情報２３３を、携帯電話機１に送信する。バス２４は、各構成要素２１〜２３を相互に接続する。
【００８７】
つぎに、上述した構成を有する携帯電話機１の動作を説明する。携帯電話機１が有する通話機能は、一般的な携帯電話機が有する通話機能と同一である。そのため、以下では、携帯電話機１にて、乗換経路を案内するとともに、乗換時刻を通知するための動作について説明する。
【００８８】
図６に示すように、乗換時刻の通知動作における処理は、「入力処理（ステップＳ１１）」と、「経路検索要求処理（ステップＳ１２）」と、「表示処理（ステップＳ１３）」と、「選択判別処理（ステップＳ１４）」と、「経路情報取得処理（ステップＳ１５）」と、「計時処理（ステップＳ１６）」と、「通知処理（ステップＳ１７）」と、「到着判別処理（ステップＳ１８）」と、「計時解除処理（ステップＳ１９）」とから構成される。
【００８９】
入力部１２は、「入力処理（ステップＳ１１）」を実行し、「乗換条件」の入力を利用者から受付け、受付けた乗換条件を制御部１１に出力する。ここで入力される「乗換条件」とは、例えば、利用者が所望する出発駅、出発時刻、到着駅である。さらに、乗換条件は、経由駅、利用者が所望する経由駅への到着時刻、利用者が所望する最終駅への到着時刻、および、乗車料金、乗車時間または乗換の回数などに関する指定値などでもよい。
【００９０】
制御部１１の経路検索要求部１１２は、「経路検索要求処理（ステップＳ１２）」を実行し、乗換案内サーバ２に、乗換経路の検索を実行するよう要求する。乗換経路の検索を要求する際、経路検索要求部１１２は、入力部１２にて入力された「乗換条件」を通知する。
【００９１】
「送信部」である通信部１３は、「送信処理」を実行し、乗換案内サーバ２に、乗換経路の検索を要求する「検索要求信号」と、利用者が所望する「乗換条件」とを送信する。
【００９２】
乗換案内サーバ２では、通信部２２により、検索要求信号を受信する。続いて、経路検索部２１１が、「経路検索処理」を実行し、携帯電話機１から通知された「乗換条件」に基づいて、記憶部２３内の経路検索用情報２３０のうちから乗換条件に適した乗換経路を検索する。ここで用いられる乗換経路の検索方法は、一般的な検索方法と同じである。
【００９３】
続いて、乗換案内サーバ２の通信部２２は、「乗換経路送信処理」を実行し、検索により得られた乗換経路を示す「乗換経路情報」と、検索により得られた到着時刻を示す「到着時刻情報」とを、携帯電話機１に送信する。
【００９４】
携帯電話機１の通信部１３は、乗換経路情報（乗換経路の検索結果）および到着時刻情報を乗換案内サーバ２から受信し、制御部１１に出力する。制御部１１の経路情報取得部１１４は、「経路情報取得処理」を実行し、通信部１３が乗換案内サーバ２から受信した乗換経路情報および到着時刻情報を取得する。
【００９５】
さらに、通信部１３は、乗換経路の選択用画面に関する画面メッセージ情報を乗換案内サーバ２から受信する。
【００９６】
表示部１５は、「表示処理（ステップＳ１３）」を実行し、乗換案内サーバ２から取得した乗換経路情報が含む乗換経路を示すための画面である「乗換経路表示画面１５１」を表示する。
【００９７】
図７に示すように、「乗換経路表示画面１５１」は、記憶部１４内の乗換経路情報１４１が示す乗換経路上の出発駅、出発時刻および到着駅と、記憶部１４内の到着時刻情報１４２が示す到着時刻とを表示する。例えば、乗換経路Ｐ１における出発駅ＳＳ−１と、出発時刻ＳＴ−１と、到着駅ＡＳ−１と、到着時刻ＡＴ−１とを表示（再生）する。
【００９８】
また、「乗換経路表示画面１５１」に表示される乗換経路は、携帯電話機１によって案内することが可能な乗換経路であって、利用者により選択可能な乗換経路の候補となる。また、表示部１５は、乗換経路表示画面１５１に示した乗換経路の選択候補のうちからいずれかの乗換経路を選択するよう利用者に促すメッセージを表示（再生）する。
【００９９】
なお、乗換案内サーバ２から取得した乗換経路情報が複数（例えば、ｎ個）の乗換経路を含んでいる場合、表示部１５は、乗換経路表示画面１５１において、すべての乗換経路（図７の例では、乗換経路Ｐ１〜Ｐｎ）を選択可能な乗換経路の候補として表示する。
【０１００】
続いて、選択判別部１１３は、図６に示す「選択判別処理（ステップＳ１４）」を実行し、表示部１５が表示している選択候補の乗換経路Ｐ１〜Ｐｎのうちから、利用者が乗換案内を所望する乗換経路が選択されたか否かを判別する。
【０１０１】
なお、「選択判別処理」では、選択判別部１１３は、経路選択の有無に加えて、目的地に到着時刻ＡＴに近づいたときに、その旨を通知する通知機能がオンに設定されているか否かを判別してもよい。なお、通知機能がオフに設定されている場合、表示部１５により、利用者が選択した乗換経路のみを表示し、乗換通知動作を終了する。
【０１０２】
選択判別部１１３は、乗換経路が選択されていないと判別した場合（ステップＳ１４；Ｎｏ）、入力部１２にて乗換経路が選択されるまで待機する。一方、選択判別部１１３は、乗換経路が選択されたと判別した場合（ステップＳ１４；Ｙｅｓ）、入力部１２にて選択された乗換経路を、乗換案内サーバ２から取得した乗換経路情報のうちから識別する。
【０１０３】
また、経路情報取得部１１４は、「経路情報取得処理（ステップＳ１５）」を実行する。本実施形態では、入力部１２にて、乗換経路Ｐ２が選択されたものとする。
【０１０４】
「経路情報取得処理（ステップＳ１５）」において、経路情報取得部１１４は、通信部１３により、選択判別部１１３が識別した乗換経路Ｐ２（例えば、出発駅、出発時刻、到着駅、到着時刻など）に関する乗換経路情報および到着時刻情報を乗換案内サーバ２から取得する。
【０１０５】
また、経路情報取得部１１４は、通信部１３により、選択判別部１１３が識別した乗換経路に対応する「通知用情報」（アラーム情報、画面メッセージ情報など）を乗換案内サーバ２から取得する。
【０１０６】
記憶部１４は、「記憶処理」を実行し、経路情報取得部１１４が取得した乗換経路情報および通知用情報を、「乗換経路情報１４１」および「通知用情報１４３」としてそれぞれ記憶する。
【０１０７】
なお、この「経路情報取得処理（ステップＳ１５）」において、最先の出発駅から最終の到着駅までに至る乗換経路を構成するすべての移動経路の乗換経路情報と、到着時刻情報と、通知用情報とを一括して取得する。そのため、携帯電話機１が乗換案内サーバ２との通信が不能な通信圏外の状態にある場合でも、後続するステップＳ１６以降の通知が実行可能となる。
【０１０８】
また、計時部１１１は、「計時処理（ステップＳ１６）」を実行し、タイマの設定により、記憶部１４内の乗換経路情報１４１が示す乗換経路Ｐ２の出発駅ＳＳ−２（図７の例では、「東京駅」）の出発時刻ＡＴ−２（図７の例では、「午前９：１５」）からの経過時間の計時を開始する。
【０１０９】
計時部１１１は、経過時間の計時により、その経過時間が「到着時刻接近検出値Ｄａ」に達したことを検出する。本実施形態では、到着時刻接近検出値Ｄａは、到着駅ＡＳ−２（図５の例では、「名古屋駅」）の到着時刻ＡＴ−２（図５の例では、「午前１０：４５」）の5分前に、到着時刻への接近を検出するよう設定されている。
【０１１０】
出発時刻からの経過時間が「到着時刻接近検出値Ｄａ」に到達したこと（現在時刻が、経由駅への到着時刻（乗換時刻）ＡＴ−２の所定時間前に到達したこと）を計時部１１１が検出すると、通知部１１５は、「通知処理（ステップＳ１７）」を実行する。
【０１１１】
この「通知処理（ステップＳ１７）」にて、通知部１１５は、音声出力部１６を制御し、アラーム情報が示すアラームの鳴動（再生）し、利用者への乗換案内通知を実行する。音声出力部１６は、アラーム鳴動に代えて、バイブレーション動作により、現在時刻が到着時刻（到着先が経由駅である場合には、経由駅における乗換時刻）の所定時間前に到達したことを通知してもよい。
【０１１２】
また、「通知処理（ステップＳ１７）」にて、通知部１１５は、表示部１５を制御し、現在時刻が到着時刻（乗換時刻）に近づいた旨や電車の乗換を利用者に促す旨などを示すメッセージを表示（再生）する。
【０１１３】
到着判別部１１６は、「到着判別処理（ステップＳ１８）」を実行し、現在時刻が到着時刻に到達したか否かを判別する。この例では、到着判別部１１６は、計時部１１１が計時する出発時刻ＡＴ−２からの経過時間が、到着時刻情報１４２が示す到着時刻から乗換経路情報１４１が示す出発時刻を減算した差分（電車が移動に要する時間）に到達したときに、現在時刻が到着時刻に到達したと判別する。
【０１１４】
なお、携帯電話機１は、ステップＳ１６〜Ｓ１８の処理を、乗継経由駅ごと（図６に示した乗換経路Ｐ２の例では、「名古屋駅」）に実行する。すなわち、利用者が乗継を行う経由駅ごとに、計時部１１１がタイマを設定し、通知部１１５の制御下にて、表示部１５が画面メッセージを表示するとともに音声出力部１６がアラームを嗚動し、到着判別部１１６が到着時刻に到達したか否かを判別する。
【０１１５】
そして、「到着判別処理（ステップＳ１８）」にて、到着判別部１１６が、最終的な目的地である最終の到着駅（図７に示した乗換経路Ｐ２の例では、「大阪駅」）の到着時刻に到達したと判別した場合、計時部１１１（タイマ）は、「計時解除処理（ステップＳ１９）」を実行し、計時処理の実行を解除（停止）する。以上で、一連の乗換時刻の通知動作が終了する。
（実施形態２）
つぎに、実施形態２の乗換案内システムについて説明する。実施形態２は、現在時刻が到着時刻の所定時間前に到達したことを通知するとともに、乗換経路上の到着駅に関する情報を再生（表示または放音）する例である。
【０１１６】
実施形態２の乗換案内システムの構成は、図１に示した構成と基本的に同一である。また、実施形態２の乗換案内サーバ２の構成は、図４に示した構成と基本的に同一である。
【０１１７】
実施形態２の携帯電話機１の構成および制御部１１の構成は、図２および３にそれぞれ示した構成と基本的に同一である。
【０１１８】
ただし、通信部１３は、実施形態１で説明した「アラーム情報」や「画面メッセージ情報」に加えて、「到着駅関連情報」をさらに含んだ通知用情報を、乗換案内サーバ２から受信する。
【０１１９】
ここで「到着駅関連情報」とは、乗換経路上の到着駅に関連する情報（例えば、到着駅周辺の地図の画像、到着駅周辺に位置する道路や建物などの文字案内）であって、「到着点関連情報」である。到着駅関連情報は、乗換経路情報が示す到着駅に関する情報を利用者に説明するための音声ガイダンスであってもよい。また、記憶部１４は、到着駅関連情報を含んだ通知用情報を、通知用情報１４３として記憶する。
【０１２０】
なお、乗換経路が複数の移動経路で構成される場合、各移動経路にそれぞれ対応付けられた複数の通知用情報で構成される。
【０１２１】
そのため、図７に示した乗換経路Ｐ２の例では、東京〜名古屋に対応する到着駅関連情報（例えば、名古屋駅周辺の地図の画像）と、名古屋〜大阪に対応する到着駅関連情報（例えば、大阪駅周辺の地図の画像）とを含む。
【０１２２】
実施形態２においては、表示部１５は、図８に示す乗換案内画面１５２を表示する。この乗換案内画面１５２中の画像データは、携帯電話機１に対して乗換案内サーバ２から送信されてきた通知用情報に含まれているものであり、記憶部１４が記憶する通知用情報１４３に基づいて表示される。
【０１２３】
乗換案内画面１５２は、現在案内中の乗換経路（最先の出発駅と、最終の到着駅と、経由駅とを含む）を示している。この表示内容は、記憶部１４に記憶されている乗換経路情報１４１および到着時刻情報１４２に基づいて表示される。
【０１２４】
また、乗換案内画面１５２は、現在案内中の乗換経路において利用者が乗車中の移動経路（この例では、東京〜名古屋）と、その移動経路を電車が移動するための所要時間に対する経過時間を表す情報（この例では、バーチャート）とを示している。なお、経過時間を表す情報は、計時部１１１が計時している出発時刻からの経過時間に基づいて表示されるものである。
【０１２５】
さらに、通知用情報１４３の再生により到着時刻に近づいた旨を通知する際に、通知部１１５は、到着駅関連情報とともに表示（再生）する。そのため、乗換案内画面１５２は、到着駅関連情報が示す到着駅周辺の地図の画像（この例では、名古屋駅周辺の地図画像）を示している。
【０１２６】
さらに、乗換案内画面１５２は、利用者がつぎに乗車するべき電車と、その電車の出発駅、出発時刻、到着駅、到着時刻とを示している。これにより、利用者に対して到着時刻の接近を通知する際に、利用者にとっての利便性を向上することが可能となる。
【０１２７】
以上説明したように、本発明の携帯電話機１（乗換案内装置）によれば、乗換案内サーバ２が検索した乗換経路を示す乗換経路情報と、乗換案内サーバ２が検索した到着時刻を示す到着時刻情報と、乗換通知を行う際の音声や画面に関する通知用情報とを、乗換案内サーバ２から一括して取得する。続いて、取得した乗換経路情報、到着時刻情報および通知用情報を、携帯電話機１が具備する記憶部１４により、乗換経路情報１４１、到着時刻情報１４２および通知用情報１４３としてそれぞれ記憶し、記憶した乗換経路情報１４１、到着時刻情報１４２および通知用情報１４３に基づいて、乗換案内を実行する。
【０１２８】
これにより、携帯電話機１（乗換案内装置）は、乗換案内サーバ２からの乗換経路情報と到着時刻情報と通知用情報との取得後に、乗換案内サーバ２と通信できない場合（例えば、携帯電話機１が地下に位置する場合、携帯電話機１が高速移動中の場合）でも、乗換時刻が接近したことを利用者に通知できる。そのため、利用者が乗換えるべき駅を誤って乗り過ごす可能性を低減できる。
【０１２９】
なお、本発明の携帯電話機１（乗換案内装置）によれば、乗換案内サーバ２と通信しない区間を利用者が設定することなく、乗換案内サーバ２と通信不能な圏外においても、乗換案内を実行することが可能となる。
【０１３０】
なお、乗換案内サーバ２から取得する通知用情報は、各種の通知方法を実行するための情報（アラーム音、メッセージの表示用画面など）を含んでいる。また、通知用情報には、到着駅に関する情報を示す到着駅関連情報（例えば、到着駅周辺の地図の画像）が含まれている。
【０１３１】
これにより、乗換案内中の通知時における利用者にとっての利便性を向上できる。また、利用状況に応じた通知方法に従って、乗換時刻を通知できる。
【０１３２】
なお、本発明においては、携帯電話機１（乗換案内装置）内の処理は上述の専用のハードウェアにより実現されるもの以外に、その機能を実現するためのプログラムを携帯電話機１にて読取可能な記録媒体に記録し、この記録媒体に記録されたプログラムを携帯電話機１に読み込ませ、実行するものであってもよい。携帯電話機１にて読取可能な記録媒体とは、フロッピーディスク（登録商標）、光磁気ディスク、ＤＶＤ、ＣＤなどの移設可能な記録媒体の他、携帯電話機１に内蔵されたＨＤＤ等を指す。この記録媒体に記録されたプログラムは、例えば、携帯電話機１が有する制御部１１にて読み込まれ、制御部１１の制御によって、上述したものと同様の処理が行われる。
【０１３３】
ここで、携帯電話機１が有する制御部１１は、プログラムが記録された記録媒体から読み込まれたプログラムを実行するコンピュータとして動作するものである。
【０１３４】
また、本発明の乗換案内装置は、乗換案内サーバから送信されてきた到着時刻情報と、通知用情報とを記憶する記憶部、を有し、計時部は、出発時刻からの経過時間を計時し、現在時刻が到着時刻の所定時間前に到達したことを、計時中の経過時間と記憶部内の到着時刻情報が示す到着時刻とに基づいて検出してもよい。
【０１３５】
また、本発明の乗換案内装置は、音声を出力する音声出力部、を有し、通知部は、通知用情報を再生する際に、音声出力部を制御し、通知用情報に含まれる通知用の音声を再生してもよい。
【０１３６】
また、本発明の乗換案内装置は、任意のデータを表示する表示部、を有し、通知部は、通知用情報を再生する際に、表示部を制御し、通知用情報に含まれる通知用の画面を再生してもよい。
【０１３７】
また、本発明の乗換案内装置の通知部は、通知用情報を再生する際に、通知用情報に含まれる到着点に関連する情報である到着点関連情報を再生してもよい。
【０１３８】
また、本発明の乗換案内装置は、乗換案内サーバから送信されてきた到着時刻情報が示す到着時刻のうちから利用者が選択した到着時刻を識別する選択判別部、を有し、通知部は、選択判別部が識別した到着時刻に対応する通知用情報を再生してもよい。
【０１３９】
また、本発明の乗換案内装置は、計時部が計時する出発時刻からの経過時間が、到着時刻情報が示す到着時刻から出発時刻を減じた値に到達したか否かを判別する到着判別部と、到着判別部が到達したと判別したときに、計時部による計時を解除する計時解除部と、を有してもよい。
【０１４０】
また、本発明の乗換案内方法は、乗換案内サーバから送信されてきた到着時刻情報と、通知用情報とを記憶する記憶処理、を有し、計時処理では、出発時刻からの経過時間を計時し、現在時刻が到着時刻の所定時間前に到達したことを、計時中の経過時間と記憶処理にて記憶している到着時刻情報が示す到着時刻とに基づいて検出してもよい。
【０１４１】
また、本発明の乗換案内方法は、音声を出力する音声出力処理、を有し、通知処理では、通知用情報を再生する際に、音声出力処理を実行し、通知用情報に含まれる通知用の音声を再生してもよい。
【０１４２】
また、本発明の乗換案内方法は、任意のデータを表示する表示処理、を有し、通知処理では、通知用情報を再生する際に、表示処理を実行し、通知用情報に含まれる通知用の画面を再生してもよい。
【０１４３】
また、本発明の乗換案内方法の通知処理では、通知用情報を再生する際に、通知用情報に含まれる到着点に関連する情報である到着点関連情報を再生してもよい。
【０１４４】
また、本発明の乗換案内方法は、乗換案内サーバから送信されてきた到着時刻情報が示す到着時刻のうちから利用者が選択した到着時刻を識別する選択判別処理、を有し、通知処理では、選択判別処理にて識別した到着時刻に対応する通知用情報を再生してもよい。
【０１４５】
また、本発明の乗換案内方法は、計時処理にて計時する出発時刻からの経過時間が、到着時刻情報が示す到着時刻から出発時刻を減じた値に到達したか否かを判別する到着判別処理と、到着判別処理にて到達したと判別したときに、計時処理による計時を解除する計時解除処理と、を有してもよい。
【０１４６】
また、本発明のプログラムは、乗換案内サーバから送信されてきた到着時刻情報と、通知用情報とを記憶する記憶手順、を有し、計時手順では、出発時刻からの経過時間を計時し、現在時刻が到着時刻の所定時間前に到達したことを、計時中の経過時間と記憶手順にて記憶している到着時刻情報が示す到着時刻とに基づいて検出してもよい。
【０１４７】
また、本発明のプログラムは、音声を出力する音声出力手順、を有し、通知手順では、通知用情報を再生する際に、音声出力手順を実行し、通知用情報に含まれる通知用の音声を再生してもよい。
【０１４８】
また、本発明のプログラムは、任意のデータを表示する表示手順、を有し、通知手順では、通知用情報を再生する際に、表示手順を実行し、通知用情報に含まれる通知用の画面を再生してもよい。
【０１４９】
また、本発明のプログラムの通知手順では、通知用情報を再生する際に、通知用情報に含まれる到着点に関連する情報である到着点関連情報を再生してもよい。
【０１５０】
また、本発明のプログラムは、乗換案内サーバから送信されてきた到着時刻情報が示す到着時刻のうちから利用者が選択した到着時刻を識別する選択判別手順、を有し、通知手順では、選択判別手順にて識別した到着時刻に対応する通知用情報を再生してもよい。
【０１５１】
また、本発明のプログラムは、計時手順にて計時する出発時刻からの経過時間が、到着時刻情報が示す到着時刻から出発時刻を減じた値に到達したか否かを判別する到着判別手順と、到着判別手順にて到達したと判別したときに、計時手順による計時を解除する計時解除手順と、を有してもよい。
【図面の簡単な説明】
【０１５２】
【図１】本発明の実施形態に従った乗換案内システムの構成を示す図である。
【図２】本発明の実施形態に従った携帯電話機（乗換案内装置）の構成を示す図である。
【図３】図１に示した制御部の構成を示す図である。
【図４】本発明の実施形態に従った乗換案内サーバの構成を示す図である。
【図５】図４に示した経路検索用情報のデータ構成の一例を示す図である。
【図６】携帯電話機において、乗換案内を通知する動作を示すフローチャートである。
【図７】乗換経路表示画面の画面構成の一例を示す図である。
【図８】乗換案内画面の画面構成の一例を示す図である。
【符号の説明】
【０１５３】
１  携帯電話機
２  乗換案内サーバ
３  ネットワーク
１１  制御部
１２  入力部
１３  通信部
１４  記憶部
１５  表示部
１６  音声出力部
１７  音声入力部
１８  バス
１１１  計時部
１１２  経路検索要求部
１１３  選択判別部
１１４  経路情報取得部
１１５  通知部
１１６  到着判別部
１４１  乗換経路情報
１４２  到着時刻情報
１４３  通知用情報
１５１  乗換経路表示画面
１５２  乗換案内画面
２１  制御部
２２  通信部
２３  記憶部
２４  バス
２１１  経路検索部
２３０  経路検索用情報
２３１  経路情報
２３２  到着時刻検索情報
２３３  通知用情報
【図１】
2009196495.tif 000003
【図２】
2009196495.tif 000004
【図３】
2009196495.tif 000005
【図４】
2009196495.tif 000006
【図５】
2009196495.tif 000007
【図６】
2009196495.tif 000008
【図７】
2009196495.tif 000009
【図８】
2009196495.tif 000010